(57)【要約】【課題】トマト、キュウリ等の果菜類の茎や蔓を折り返し栽培する際に、熟練を要する捻枝作業をする必要がなく、作業性が良く、嵩張らず、コストも低減できる果菜茎等支持具を提供する。【解決手段】果菜茎等支持具１の茎保持部２は、幅方向の断面がＵ字状となっており、葉を載せ掛ける茎保持部２の底面の両端部２ａは、下方向へ曲がりを設けて、茎が下方向に折り返すときに茎を傷めずに曲がるようにしている。茎保持部２の両側中央部には、上方向にフック部３が一体に形成されており、フック部３の誘引線出し入れ開口部４の上部には外方向に向かって斜め下方向に延出するガイド部３ａが設けられている。誘引線出し入れ開口部４の下部には、誘引線離脱防止用の突出部３ｂが設けられている。さらに、誘引線出し入れ開口部４とは反対側の基部近くに、枝等保持用の凹部３ｃが設けられている。【選択図】図１
0003127656.tif 000002
【実用新案登録請求の範囲】
【請求項１】
長手方向に沿って弧状に曲がり幅方向の断面がＵ字状の茎保持部の幅方向の両側部に、誘引線出し入れ開口部を有するフック部を一体に設けた果菜茎等支持具。
【請求項２】
前記フック部の前記誘引線出し入れ開口部の上部に、外方向に向かって斜め下方向に延出するガイド部を形成した請求項１記載の果菜茎等支持具。
【請求項３】
前記フック部の前記誘引線出し入れ開口部の下部に、誘引線離脱抑止用の突出部を形成した請求項１または２記載の果菜茎等支持具。
【請求項４】
前記フック部における前記茎保持部との連設基部であって前記誘引線出し入れ開口部とは反対側に、枝等保持用の凹部を形成した請求項１から３のいずれかの項に記載の果菜茎等支持具。
【考案の詳細な説明】
【技術分野】
【０００１】
本考案は、トマト、キュウリ、ナス、メロン、花類、果樹等の果菜類の茎や蔓（以下、「茎等」と略称することがある。）が成長する際に、茎等を、誘引線の高さ近くで自然に曲がった状態で支持し、茎や蔓の先端を下方に曲げて生長させることにより、収率を上げるようにした果菜茎等支持具に関する。
【背景技術】
【０００２】
トマト、キュウリ、メロン、ナス、花類、果樹等の植物の茎や苗、蔓、幹は、成長するにつれ、上に伸びていこうとするが、支えがないと、その自重で垂れ下がり、地面に付いてそこから虫が付いて食べられたり、病気が発生したりする。そのため、茎や苗が倒れたり折れたりしないように、茎等を人為的に誘引して果菜類の生長を助け、収率を上げるようにしている。
【０００３】
たとえばトマトの場合、さまざまな誘引方法があるが、誘引の省力化と、通気性を良くし、茎が病気等に罹りにくくするため、誘引方法の一つとして図７および図８に示す方法がある。これは、図７に示すように、ビニールハウス内の上部に張られている誘引線１０に上部が結びつけられた誘引紐１１と誘引用クリップ１２とを用いて、茎等を直立に上向きに誘引し、誘引線１０の高さより３０ｃｍ前後、茎が生長した時点で、図８に示すように誘引線１０の位置から茎を誘引線１０に載せ掛けて、下方向に折り返して誘引するものである。
【０００４】
この誘引方法の場合、茎を誘引線１０の位置から下方向に折り返すとき、図８のａに示すように、茎を鋭角に曲げる形となるので、茎が完全に折れて生長が止まったり、果房の着きが悪くなったりする。それを防いで茎が柔軟に下方向へ曲がりやすくするために、茎の折り返す箇所の一部をペンチで軽く挟んで潰したり、折り返す箇所の茎の一部を手で捻ったりして（捻枝）、茎が下方向へ曲がりやすくなるようにしている。この捻枝作業は、素人が行うと茎が完全に折れてしまって生長が止まったり、果房の着きが悪くなったりし、収率に重大な影響が生じるので、捻枝の技術を習得した特定の人が細心の注意を払いながら捻枝作業を行い、折り返し栽培を行っている。
【０００５】
しかし、この捻枝作業は、１本１本すべての茎を捻枝する必要があり手間が掛かる上、捻枝の技術を習得した特定の人が行う必要があるので、捻枝作業を担当する人にとって重労働になっている。
【０００６】
他の折り返し栽培方法として、図９および図１０に示す方法がある。これは、図９に示すように誘引線１０に上部が結びつけられた誘引紐１１と誘引用クリップ１２を用い、茎を直立に上向きに誘引し、誘引線１０の手前まで茎を生長させる。茎が誘引線１０の高さよりも生長した時点で、図１０に示すように誘引線１０の位置より下から茎を誘引線１０の高さまで斜めに誘引し、捻枝を行わずに茎を誘引線１０に載せ掛けて、誘引線１０に載せ掛けた茎を誘引線１０と一緒に誘引用クリップ１２等で留める方法である。このように、茎が一箇所から鋭角に折れ曲がらないように誘引線１０の位置で留めることにより、さらに茎が生長し、果房を着ける。その果房の重みで茎が大きな曲線で下方向に曲がり、折り返し栽培の特徴を呈する。
【０００７】
しかし、この折り返し栽培方法では、１本の茎を、誘引線１０の下方の誘引紐１１の位置と、誘引線１０の２箇所の、全３箇所で誘引用クリップ１２等で留めて徐々に曲げるので、捻枝を行わなくても茎が生長して果房の重みで茎が大きな曲線で曲がり、下方向へ折り返して誘引できるが、直立に上向きに誘引してきた茎を誘引線１０の位置より下で一度斜めに誘引線１０の高さの位置まで誘引し、さらに茎が生長したら誘引線１０に載せ掛けた茎と誘引線１０を誘引用クリップ１２等で留めなければならず、手間が掛かる。
【０００８】
図１１はさらに他の折り返し栽培方法を示すものである。前述の栽培方法では、直立に上向きに誘引した茎を誘引線１０よりも高く生長させ、１本の誘引線１０に茎を載せ掛けて下方向へ折り返して栽培すると、茎を鋭角に１８０度折り曲げて折り返して下げることになるので、捻枝をしていても茎の折り曲げている部分に傷が深く入ることがある。そこで、図１１に示すように、誘引線を２本張り、誘引紐１１と誘引用クリップ１２により直立に上向きに誘引した茎を１本目の誘引線１０の位置で茎を捻枝し、２本目の誘引線１３に茎を載せ掛けて下方向へ９０度折り曲げることにより、茎を深く傷付けるのを最小にするものである。
【０００９】
この栽培方法では、捻枝をする手間が１本の茎に対して２度も行う必要があり、捻枝する作業回数が多くなり、重労働となる。また、誘引線も通常の２倍の数を張る必要があり、誘引スペースもとってしまう。
【００１０】
このような捻枝作業や誘引作業の問題を解決するため、直立に上方向に誘引した茎を大きな曲線で折り返しを行う折り返し誘引用の茎曲げ具が特許文献１に記載されている。この茎曲げ具は、図１２に示すように、基板２１の上部中央に提手２２を有し、基板２１に回動体２３を取り付け、回動体２３に、先端に引っ掛け部２５を備えたレバー２４を設け、基板２１に保持爪２６を設けた構成となっている。この茎曲げ具２０を用いて茎を誘引するには、誘引線１０に茎曲げ具２０の提手２２を引っ掛けて茎曲げ具２０を吊しておき、茎が誘引線１０の位置より高く生長したときに、茎曲げ具２０の保持爪２６に茎をセットすると同時に茎の保持爪２６から茎が外れないようにレバー２４で茎を押さえ、さらに茎が生長したときに下方向に茎を押さえながらレバー２４を回転させ、茎を折り返して誘引するようにする。
【００１１】
【特許文献１】特開平１１−２６６７１５号公報
【考案の開示】
【考案が解決しようとする課題】
【００１２】
前掲の特許文献１の折り返し誘引用の茎曲げ具は、捻枝を行わなくても、基板２１周面の曲面で茎を傷付けずに直立に上向きに誘引された茎を下方向に折り返すことはできるが、茎曲げ具２０自体、数多くの部品を使って組み立てられているため、コストが高く、生産者が購入するには金銭的な負担が大きくなる。また、保持爪２６やレバー２４が大きく突起しているため、誘引作業中に茎や葉が絡まることがあり、作業性が良くない。さらに、収穫後、器具を回収するときに、器具の茎保持爪やレバー、フック部が絡まって、嵩張る。
【００１３】
トマトの場合、生産者は通常、複数のハウスを営農しており、１棟のビニールハウスだけで、約２０００本の茎を育成している。トマトを折り返し栽培するために、１茎毎に捻枝を行うのは重労働であり、また捻枝を行わずに折り返し栽培をするためには茎を留める箇所を増やしたりしなければならない。また、既存の茎曲げ具等の器具も複雑な構造で茎を保持するための手間が掛かり、さらに高価なために、生産者の資材費負担が大きくなる。
【００１４】
そこで本考案は、トマト、キュウリ等の果菜類の茎や蔓を折り返し栽培する際に、熟練を要する捻枝作業をする必要がなく、作業性が良く、嵩張らず、コストも低減できる果菜茎等支持具を提供することを目的とする。
【課題を解決するための手段】
【００１５】
前記課題を解決するため、本考案の果菜茎等支持具は、長手方向に沿って弧状に曲がり幅方向の断面がＵ字状の茎保持部の幅方向の両側部に、誘引線出し入れ開口部を有するフック部を一体に設けたことを特徴とする。
【００１６】
本考案においては、誘引線に吊している誘引紐により垂直に支持されている茎が誘引線の位置より所定の長さ上へ達したら、誘引線の近くの茎の一部分に果菜茎等支持具の茎保持部を当て、そのまま果菜茎等支持具の２つのフック部を誘引線に掛けることで茎を保持することができる。本考案の果菜茎等支持具は一体成形品であるので、茎を挟み込む工程時に組み立てる手間が掛からない。
【００１７】
フック部の誘引線出し入れ開口部の上部に、外方向に向かって斜め下方向に延出するガイド部を形成することにより、誘引線が高い位置に張られている場合でも、確実にフック部を誘引線に掛けることができる。
【００１８】
フック部の誘引線出し入れ開口部の下部に、誘引線離脱抑止用の突出部を形成することにより、誘引線が上下左右に振れた場合でも、フック部が誘引線から不用意に離脱しにくくなる。
【００１９】
フック部における茎保持部との連設基部であって誘引線出し入れ開口部とは反対側に、枝等保持用の凹部を形成することにより、茎から出た枝が凹部に保持され、茎のずり落ちを抑制することができる。
【考案の効果】
【００２０】
本考案によれば、果菜類の茎や蔓を折り返し栽培する際に、熟練を要する捻枝作業をする必要がなく、作業性が良く、嵩張らず、コストも低減できる果菜茎等支持具を提供することができる。
【考案を実施するための最良の形態】
【００２１】
以下、本考案の実施の形態を、図１〜図６を用いて説明する。
図１は、本考案の実施の形態に係る果菜茎等支持具の斜視図、図２は誘引線に装着する状態の側面図、図３は誘引線に装着する前の状態を示す斜視図、図４は誘引線に装着した状態の斜視図、図５は茎が伸びた状態の斜視図、図６は多数積み重ねて収納する時の正面図である。
【００２２】
図１及び図２に示すように、本実施の形態の果菜茎等支持具１の茎保持部２は、幅方向の断面がＵ字状となっており、茎を載せ掛ける茎保持部２の底面の両端部２ａは、下方向へ曲がりを設け、茎が下方向に折り返すときに茎を傷めずに曲がるようにしている。なお、茎保持部２の長手方向の全体が円弧状に曲がっていても良い。また、両端上部の角は、茎が生長して果房が着き、自重で下方向に曲がるときに茎に傷が入りにくいように丸くしている。茎保持部２の両側中央部には、上方向にフック部３が一体に形成されており、フック部３の誘引線出し入れ開口部４の上部には外方向に向かって斜め下方向に延出するガイド部３ａが設けられている。誘引線出し入れ開口部４の下部には、誘引線離脱防止用の突出部３ｂが設けられている。さらに、誘引線出し入れ開口部４とは反対側の基部近くに、枝等保持用の凹部３ｃが設けられている。果菜茎等支持具１全体は、耐候性のポリプロピレン等の熱可塑性プラスチックで一体成形されている。
【００２３】
次に、本実施の形態の果菜茎等支持具１の使用方法について説明する。
茎が真っ直ぐ上に生長するまでは、誘引線１０に結んだ誘引紐１１に誘引用クリップ１２等を用いて誘引するまでは図７に示した従来例と同じである。
【００２４】
茎が誘引線の位置より３０ｃｍほど上へ達したら、図２、図３に示すように、誘引線１０の近くの茎Ａの一部分に果菜茎等支持具１の茎保持部２を当て、茎Ａを両フック部３の開いた方向から茎保持部２に入れ、２つのフック部３を誘引線１０に掛けることによって、茎Ａを保持することができる。このとき、誘引線１０がフック部３の上部方向に対しての茎外れ防止となる。フック部３の誘引線出し入れ開口部４の上部にはガイド部３ａが設けられているので、両ガイド部３ａの先端部が誘引線１０に引っ掛かれば、フック部３は容易にかつ確実に誘引線１０に装着される。また、フック部３が一旦誘引線１０に装着されると、突出部３ｂが誘引線出し入れ開口部４を狭くしている状態になるので、誘引線１０が上下左右に揺れても、不用意にフック部３が離脱して果菜茎等支持具１が外れることを抑制できる。
【００２５】
果菜茎等支持具１の茎保持部２はＵ形になっており、両側面より延長して上方向の両側にフック部３が形成されているので、茎Ａが両側面から外れることがない。
【００２６】
果菜茎等支持具１の茎保持部２で茎Ａを保持して誘引線１０にセットしたときは、図４に示すように、茎Ａの生長部が上方向に向いている。
また、茎Ａから出ている葉の枝が誘引線１０に掛かるため、下方向に茎が抜け落ちないようになっている。さらに、２つのフック部３の後部には、茎Ａから出ている葉の枝を引っ掛ける凹部３ｃが設けられているため、この凹部３ｃに枝が掛かって、茎Ａがずり落ちないようになる。
【００２７】
さらに茎Ａが生長すると、図５に示すように、茎Ａの先端部が果房の重みで果菜茎等支持具１の茎保持部２の位置から大きな曲線で下方向に曲がるが、茎保持部２の長手方向の端部は曲がりを有するので、茎が折れることなく、折り返し栽培を行うことができる。
【００２８】
本考案の果菜茎等支持具は、製造時も一体成形で製品となり、組み立てや部品等が不要なので、製品コストも安くなり、本品を梱包するときに、図６に示すように、茎保持部２の内側に別の果菜茎等支持具の茎保持部２の外側を上部のフック部３側から差し込み、さらにその上に別の果菜茎等支持具の茎保持部２の外側を重ねて束ねることができるので、小さくまとめることができる。また、段ボール箱の中に多くの果菜茎等支持具を梱包できるので、輸送コストも安くなり、生産者に低価格で提供できるので、折り返し栽培を行うための資材費が軽減できる。
【産業上の利用可能性】
【００２９】
本考案は、熟練を要する捻枝作業をする必要がなく、作業性が良く、嵩張らず、コストも低減できる果菜茎等支持具として、トマト、キュウリ等の果菜類の茎等の折り返し栽培に好適に利用することができる。
【図面の簡単な説明】
【００３０】
【図１】本考案の実施の形態に係る果菜茎等支持具の斜視図である。
【図２】本考案の実施の形態に係る果菜茎等支持具を誘引線に装着する状態の側面図である。
【図３】本考案の実施の形態に係る果菜茎等支持具を誘引線に装着する前の状態を示す斜視図である。
【図４】本考案の実施の形態に係る果菜茎等支持具を誘引線に装着した状態の斜視図である。
【図５】本考案の実施の形態に係る果菜茎等支持具を用いたときの茎が伸びた状態の斜視図である。
【図６】本考案の実施の形態に係る果菜茎等支持具を多数積み重ねて収納する時の正面図である。
【図７】従来の折り返し栽培方法の説明図である。
【図８】従来の折り返し栽培方法の説明図である。
【図９】従来の折り返し栽培方法の説明図である。
【図１０】従来の折り返し栽培方法の説明図である。
【図１１】従来の折り返し栽培方法の説明図である。
【図１２】従来の折り返し栽培方法の説明図である。
【符号の説明】
【００３１】
Ａ  茎
１  果菜茎等支持具
２  茎保持部
２ａ  両端部
３  フック部
３ａ  ガイド部
３ｂ  突出部
３ｃ  凹部
４  誘引線出し入れ開口部
１０  誘引線
１１  誘引紐
１２  誘引用クリップ
１３  誘引線
【図１】
0003127656.tif 000003
【図２】
0003127656.tif 000004
【図３】
0003127656.tif 000005
【図４】
0003127656.tif 000006
【図５】
0003127656.tif 000007
【図６】
0003127656.tif 000008
【図７】
0003127656.tif 000009
【図８】
0003127656.tif 000010
【図９】
0003127656.tif 000011
【図１０】
0003127656.tif 000012
【図１１】
0003127656.tif 000013
【図１２】
0003127656.tif 000014